(57)【要約】  【課題】  オペレータであっても容易にメンテナンスすることができるとともに、装置のダウンタイムを短縮することができる清掃シートを提供することである。  【解決手段】  少なくとも紙種及び重送の何れか一方を検知する検知手段を有する画像形成装置に用いられ、画像形成装置によって搬送可能に形成されたシート部１１０と、シート部１１０の所定の位置に固定され、検知手段を通過するとき検知手段を接触する突起部１１１と、を備える。【選択図】  図３
2007045616.tif 000002
【特許請求の範囲】
【請求項１】
少なくとも紙種及び重送の何れか一方を検知する検知手段を有する画像形成装置に用いられ、
前記画像形成装置によって搬送可能に形成されたシート部と、
前記シート部の所定の位置に固定され、前記検知手段を通過するとき前記検知手段に接触する突起部と、を備えたことを特徴とする清掃シート。
【請求項２】
前記突起部が、モルトプレンで構成されていることを特徴とする請求項１に記載の清掃シート。
【請求項３】
前記突起部が、面状ファスナーのパイル側を用いて構成されていることを特徴とする請求項１に記載の清掃シート。
【請求項４】
前記シート部に、セット面を指示するセット面指示印が印刷されていることを特徴とする請求項１乃至請求項３の何れかに記載の清掃シート。
【請求項５】
前記シート部に、通紙方向を指示する通紙方向指示印が印刷されていることを特徴とする請求項１乃至請求項４の何れかに記載の清掃シート。
【請求項６】
前記シート部が、透明の樹脂シートで構成されていることを特徴とする請求項１乃至請求項５の何れかに記載の清掃シート。
【発明の詳細な説明】
【技術分野】
【０００１】
本発明は、画像形成装置に用いられる清掃シートに関する。
【背景技術】
【０００２】
従来の画像形成装置として、紙種のセットミスを検出した場合や、用紙の重送を検出した場合に、当該検出箇所で画像形成動作を停止させ、当該装置内に用紙を滞留させて画像形成動作による被害を最小限に留めるものが知られている（例えば、特許文献１参照）。
このような、従来の画像形成装置は、紙粉、トナー、埃等が、紙種又は重送を検出するＬＥＤのレンズに付着すると、画像形成動作を停止するという機能が正常に動作しない場合が生じていた。
【０００３】
【特許文献１】特開２００３−２９５８１号公報
【発明の開示】
【発明が解決しようとする課題】
【０００４】
しかしながら、上記のような従来の画像形成装置においては、不具合を解消するためサービスマンが部品を取り外しに行かなければならないという問題があった。
また、これに起因して、不要な装置のダウンタイムが生じるという問題があった。
【０００５】
本発明は、従来の問題を解決するためになされたもので、オペレータであっても容易にメンテナンスすることができるとともに、装置のダウンタイムを短縮することができる清掃シートを提供することを目的とする。
【課題を解決するための手段】
【０００６】
本発明に係る清掃シートは、少なくとも紙種及び重送の何れか一方を検知する検知手段を有する画像形成装置に用いられ、前記画像形成装置によって搬送可能に形成されたシート部と、前記シート部の所定の位置に固定され、前記検知手段を通過するとき前記検知手段に接触する突起部と、を備えたことを特徴とする。
この構成により、突起部が検知手段を通過するとき接触することで、検知手段にある紙粉、トナー、ホコリなどを搬送動作に伴い自動的に清掃することができる。この結果、オペレータであっても、容易にメンテナンスすることができるとともに、装置のダウンタイムを短縮することができる。
【０００７】
また、本発明に係る清掃シートは、突起部が、モルトプレンで構成されていることを特徴とする。
この構成により、検知手段を傷つけずに清掃することができる。
【０００８】
また、本発明に係る清掃シートは、突起部が、面状ファスナーのパイル側を用いて構成されていることを特徴とする。
この構成により、清掃能力が向上し、検知手段を傷つけずに清掃することができる。
【０００９】
また、本発明に係る清掃シートは、シート部に、セット面を指示するセット面指示印が印刷されていることを特徴とする。
この構成により、オペレータによる清掃シートのセット面の間違いを防止することができる。
【００１０】
また、本発明に係る清掃シートは、シート部に、通紙方向を指示する通紙方向指示印が印刷されていることを特徴とする。
この構成により、オペレータによる通紙方向の間違いを防止することができる。
【００１１】
また、本発明に係る清掃シートは、前記シート部が、透明の樹脂シートで構成されていることを特徴とする。
この構成により、オペレータが清掃シートと用紙とを明確に区別することができる。
【発明の効果】
【００１２】
画像形成装置が搬送可能なシート部の上に紙種又は重送を検知する検知手段を清掃する突起部を設け、この突起部が検知手段を通過するとき接触することで、検知手段にある紙粉、トナー、ホコリなどを搬送動作に伴い自動的に清掃する清掃シートを提供することができる。
【発明を実施するための最良の形態】
【００１３】
以下、本発明の実施の形態について、図面を用いて説明する。
図１は、本発明の実施の形態における清掃シートを適用するカラー画像形成装置の構成図である。
なお、本実施の形態においては、清掃シートをカラー画像形成装置に適用しているが、カラー画像形成装置に限定されるものでない。
【００１４】
図１において、カラー画像形成装置１０の略中央に画像形成部１が配置され、この画像形成部１のすぐ下方に給紙部２が配置されている。給紙部２は各段に給紙カセット２１を備えている。必要に応じ別の給紙装置２２を増設することができる。画像形成部１の上方は、原稿を読み取る読取部３が配設されている。画像形成部１の左側に排紙収納部４として形成され、画像形成された記録媒体（以下、用紙という）が排紙収納される。
【００１５】
画像形成部１では、ベルト状をした中間転写ベルト５の周囲に、４つの作像部６が配置されている。各作像部６では、ドラム状をした感光体６１の周囲に、感光体の表面に帯電処理を行う帯電装置６２、画像情報を感光体表面にレーザ光で照射する露光装置７、感光体の表面に露光されて形成された静電潜像を可視化する現像装置６３、及び、感光体の残留するトナーを除去回収するクリーニング装置６４が配置されており、作像プロセスとしては、中間転写ベルト５が、回転して１つのカラー画像を形成している。
【００１６】
最初に、イエロー（Ｙ）の作像部で、イエローのトナーを現像し、中間転写ベルトに転写する。次に、マゼンタ（Ｍ）の作像部で、マゼンタのトナーを現像し、中間転写ベルトに転写する。次に、シアン（Ｃ）の作像部で、シアンのトナーを現像し、中間転写ベルトに転写し、最後に、ブラック（ＢＫ）のトナーを現像し、中間転写ベルトに転写させる。
【００１７】
中間転写ベルト５上で現像された４色のトナー像を用紙に転写する転写装置５１、転写後中間転写ベルト５の表面に残留するトナーを除去回収する中間転写クリーニング装置５２がそれぞれ配置されている。
【００１８】
トナー像を得た用紙上のトナーを定着処理する定着装置８が転写装置５１の下流側に配置されている。定着装置８を通過した用紙は排紙ローラ４１により排紙収納部４に排紙収納される。
【００１９】
両面印刷時は、分岐部９２にて、分岐され、両面装置９３を経由して、用紙が反転され、レジストローラ２３で用紙のスキューが補正され、裏面画像形成動作に至る。
【００２０】
給紙部２においては、給紙カセット２１に未使用の用紙が収容されており、回動可能に支持された底板が最上の用紙をピックアップローラが当接可能な位置まで上昇する。給紙ローラの回転により、最上紙は給紙カセットから送り出され、レジストローラ２３へと搬送される。レジストローラ２３は用紙の搬送を一時止め、感光体表面のトナー像と用紙の先端との位置関係が所定の位置になるよう、タイミングをとって回転が開始するよう、制御される。
【００２１】
読取部３では、コンタクトガラス３１上に載置される原稿（不図示）の読取走査を行うために、原稿照明用光源とミラーよりなる読み取り走行体３２、３３が往復移動する。この読み取り走行体３２、３３により走査された画像情報は、レンズ３４の後方に設置されているＣＣＤ３５に画像信号として読み込まれる。この読み込まれた画像信号は、デジタル化され画像処理される。画像処理された信号に基づいて、露光装置７内のレーザダイオードＬＤ（不図示）の発光により感光体６１の表面に静電潜像が形成される。ＬＤからの光信号は、公知のポリゴンミラーやレンズを介して感光体に至る。読取部３の上方に、原稿を自動的にコンタクトガラス上に搬送する自動原稿搬送装置３６が取り付けられるようになっている。
【００２２】
本実施の形態のカラー画像形成装置１０は、上述した如く原稿を走査して読み取り、デジタル化して用紙に複写する、いわゆるデジタルカラー複写機としての機能の他に、図示しない制御装置により原稿の画像情報を遠隔地と授受するファクシミリの機能や、コンピュータが扱う画像情報を用紙上に印刷するいわゆるプリンタの機能を有する多機能の画像形成装置である。どの機能によって形成された画像もすべて一つの排紙収納部４に排出・収納される。
【００２３】
分岐爪９２にて、分岐され両面装置９３を経由して用紙を反転させ反転排紙ローラ９２を経由して排紙ローラ４１から排出された場合、排紙収納部にスタックされた用紙は画像面が下面になった状態であり、複写、ファクシミリ、プリンタで扱う原稿の処理順が１ページから行われて印刷されても、排紙収納部から取り出したとき、１ページ目が最上になっており、改めてページを揃えるなどの作業から開放される。
【００２４】
図２は、本発明の実施の形態における清掃シートを適用するカラー画像形成装置の検知手段付近の構成図である。
図２において、発光素子１０１は、レジストローラ２３の直前に設けられ、搬送されてきた用紙に下側ガイド１０４の開口部１０４ａを介して光を発光するようになっており、ＬＥＤ等で構成されている。受光素子１０２は、発光素子１０１に対向する位置に設けられ、用紙の透過光を上側ガイド１０３の開口部１０３ａを介して受光するようになっており、フォトトランジスタ等で構成されている。発光素子１０１及び受光素子１０２は、手差しトレイ９から手差し搬送ローラ部２５を介して搬送されてきた用紙や、給紙カセット２１から給紙搬送ローラ部２４を介して搬送されてきた用紙の紙種および重送を検知するようになっており、検知手段を構成している。
【００２５】
図３は、本発明の実施の形態における清掃シート及び発光素子近傍の構成図である。
図３（ａ）に示すように、清掃シート１００は、カラー画像形成装置１０によって搬送可能に形成され、樹脂シートで構成されたシート部１１０と、シート部１１０の所定の位置に固定され、発光素子１０１及び受光素子１０２を通過するとき発光素子１０１に接触する突起部１１１とを備えている。ここで、所定の位置とは、カラー画像形成装置１０において清掃シートが発光素子１０１及び受光素子１０２を通過する際に、突起部１１１が発光素子１０１と接触可能な位置をいう。
【００２６】
突起部１１１は、下側ガイド１０４に設けられた開口部１０４ａのサイズより小さく構成されている。例えば、図３（ｂ）に示すように、突起部１１１は、発光素子１０１近傍の下側ガイド１０４の切欠き長さをＢとし、突起部１１１の長さｂとした場合、Ｂ＞ｂとなるよう構成され、かつ、下側ガイド１０４の切欠き幅をＡ（不図示）とし、突起部１１１の幅ａとした場合、Ａ＞ａとなるよう構成されている。これにより、突起部１１１は、発光素子１０１を通過するとき突起部１１１が下側ガイド１０４の切欠き部分に入るようになっている。なお、図３（ｂ）における矢印は、搬送方向を示している。
【００２７】
図４は、本発明の実施の形態にける清掃シートの突起部の構成図である。
図４（ａ）に示すように、突起部１１１は、モルトプレンで構成され、発光素子１０１のレンズ面を傷つけずに清掃することができる。
また、突起部１１１は、図４（ａ）で示すものに限らず、図４（ｂ）に示す突起部１１２のように、面状ファスナーのパイル側を用いて構成してもよく、この場合には、清掃能力が向上し、発光素子１０１のレンズ面を傷つけずに清掃することができる。
【００２８】
図５は、本発明の実施の形態における清掃シートのシート部の構成を説明するための図である。
図５（ａ）に示すように、シート部１１０は、セット面を指示するセット面指示印１１６が印刷されており、オペレータによる清掃シートのセット面の間違いを防止することができる。
また、図５（ｂ）に示すように、シート部１１０は、通紙方向を指示する通紙方向指示印１１７が印刷されていてもよく、この場合には、オペレータによる通紙方向の間違いを防止することができる。
また、図５（ｃ）に示すように、シート部１１０に代えて、透明の樹脂シートで構成されたシート部１１５でもよく、この場合には、オペレータが清掃シートであるか、用紙（転写紙）であるかを明確に区別することができる。
なお、図５に示すシート部のそれぞれの構成を組み合わせることもできる。
【００２９】
このように、本実施の形態における清掃シートは、カラー画像形成装置によって搬送可能に形成されたシート部の上に紙種及び重送を検知する発光素子を清掃する突起部を設け、この突起部が発光素子及び受光素子を通過するとき接触することで、発光素子のレンズ部にある紙粉、トナー、ホコリなどを搬送動作に伴い自動的に清掃することができる。この結果、オペレータであっても、容易にメンテナンスすることができるとともに、装置のダウンタイムを短縮することができる。
【００３０】
なお、本実施の形態における清掃シートに限らず、シート部上に受光素子を清掃する突起部を設けてもよく、この場合には、上述した作用効果を期待することができる。
【産業上の利用可能性】
【００３１】
以上のように、本発明に係る清掃シートは、画像形成装置によって搬送可能に形成されたシート部の上に少なくとも紙種及び重送の何れか一方を検知する検知手段を清掃する突起部を設け、この突起部が検知手段を通過するとき接触することで、検知手段にある紙粉、トナー、ホコリなどを搬送動作に伴い自動的に清掃することができるという効果を有し、画像形成装置のメンテナンスに用いる清掃シート等として有用である。
【図面の簡単な説明】
【００３２】
【図１】本発明の実施の形態における清掃シートを適用する画像形成装置の構成図である。
【図２】本発明の実施の形態における清掃シートを適用する画像形成装置の検知手段付近の構成図である。
【図３】本発明の実施の形態における清掃シート及び発光素子近傍の構成図である。
【図４】本発明の実施の形態における清掃シートの突起部の構成図である。
【図５】本発明の実施の形態における清掃シートのシート部の構成を説明するための図である。
【符号の説明】
【００３３】
１０  カラー画像形成装置
１００  清掃シート
１０１  発光素子（検知手段）
１０２  受光素子（検知手段）
１１０  シート部
１１１  突起部
【図１】
2007045616.tif 000003
【図２】
2007045616.tif 000004
【図３】
2007045616.tif 000005
【図４】
2007045616.tif 000006
【図５】
2007045616.tif 000007